(57)【要約】【課題】洗濯物の乾燥を適宜行うことができる物干しシステムを提供する。【解決手段】洗濯物を干す物干し竿を有する物干し部屋と、物干し部屋内の温度を計測する温度計測部と、物干し部屋内の湿度を計測する湿度計測部と、洗濯物を乾燥させるための標準モード、省エネモード及び速乾モードで駆動し、室内環境を制御可能な駆動部と、洗濯物の目標となる乾燥態様に基づいて駆動部を駆動させる制御装置と、を具備し、制御装置は、温度計測部の計測結果及び湿度計測部の計測結果の少なくとも一方に基づいて、複数の異なるモードのうち一つのモードを選択し、選択したモードで駆動部を駆動させる。【選択図】図５
2017108976.tif 000002
【特許請求の範囲】
【請求項１】
洗濯物を干す物干し部を有する物干し部屋と、
前記物干し部屋内の温度を計測する温度計測部と、
前記物干し部屋内の湿度を計測する湿度計測部と、
前記洗濯物を乾燥させるための複数の異なるモードで駆動し、室内環境を制御可能な駆動部と、
前記洗濯物の目標となる乾燥態様に基づいて前記駆動部を駆動させる制御部と、
を具備し、
前記制御部は、
前記温度計測部の計測結果及び前記湿度計測部の計測結果の少なくとも一方に基づいて、前記複数の異なるモードのうち一つのモードを選択し、選択したモードで前記駆動部を駆動させる、
ことを特徴とする物干しシステム。
【請求項２】
前記駆動部は、
前記物干し部屋内の温度を上昇させる暖房部と、
前記物干し部に送風する送風部と、
前記物干し部屋内の空気を外部へ排出する換気部と、
を含み、
前記制御部は、
前記温度計測部の計測結果が第一の所定の温度値未満である場合には、
前記一つのモードとして第一のモードを選択し、
前記物干し部屋内の温度が前記第一の所定の温度値よりも高い温度値となるように前記暖房部を駆動し、
且つ、前記送風部を駆動し、
且つ、前記換気部を駆動する、
ことを特徴とする請求項１に記載の物干しシステム。
【請求項３】
前記駆動部は、
前記物干し部屋内の除湿を行う除湿部を含み、
前記制御部は、
前記温度計測部の計測結果が、前記第一の所定の温度値以上、且つ、前記第一の所定の温度値よりも高い第二の所定の温度値未満である場合には、
前記一つのモードとして第二のモードを選択し、
前記除湿部を駆動し、
且つ、前記送風部を駆動し、
且つ、前記換気部を駆動しない、
ことを特徴とする請求項２に記載の物干しシステム。
【請求項４】
前記制御部は、
前記温度計測部の計測結果が前記第二の所定の温度値以上であって、
且つ、前記湿度計測部の計測結果が所定の湿度値未満である場合には、
前記一つのモードとして第三のモードを選択し、
前記送風部を駆動し、
且つ、前記換気部を駆動する、
ことを特徴とする請求項３に記載の物干しシステム。
【請求項５】
前記制御部は、
前記温度計測部の計測結果が、前記第二の所定の温度値以上であって、
且つ、前記湿度計測部の計測結果が所定の湿度値以上である場合には、
前記一つのモードとして前記第二のモードを選択する、
ことを特徴とする請求項４に記載の物干しシステム。
【請求項６】
前記駆動部は、
前記物干し部に送風する送風部と、
前記物干し部屋内の空気を外部へ排出する換気部と、
を含み、
前記制御部は、
所定の期間だけ前記換気部及び前記送風部を駆動し、
前記所定の期間前後の前記湿度計測部の計測結果に基づいて、前記物干し部屋の湿度変化率を算出し、
前記算出した湿度変化率に基づいて、前記一つのモードの選択を行う、
ことを特徴とする請求項１に記載の物干しシステム。
【発明の詳細な説明】
【技術分野】
【０００１】
本発明は、洗濯物を干す物干し部屋を具備する物干しシステムの技術に関する。
【背景技術】
【０００２】
従来、洗濯物を干す物干し部屋を具備する物干しシステムの技術は公知となっている。例えば、特許文献１に記載の如くである。
【０００３】
特許文献１には、赤外線電球、除湿機、熱交換器、循環器により構成された乾燥手段を有する衣類乾燥室が開示されている。特許文献１に記載の技術においては、前記乾燥手段を駆動することにより、衣類乾燥室内の衣類を乾燥させる。
【０００４】
しかしながら、特許文献１に記載の衣類乾燥室において、前記乾燥手段（前記乾燥手段を構成する複数の機器）は、単に乾燥時間に基づいて駆動するものであるため、衣類の乾燥を適宜行う上で改善の余地があった。
【先行技術文献】
【特許文献】
【０００５】
【特許文献１】特開２００２−２３３６９４号公報
【発明の概要】
【発明が解決しようとする課題】
【０００６】
本発明は以上の如き状況に鑑みてなされたものであり、その解決しようとする課題は、洗濯物の乾燥を適宜行うことができる物干しシステムを提供するものである。
【課題を解決するための手段】
【０００７】
本発明の解決しようとする課題は以上の如くであり、次にこの課題を解決するための手段を説明する。
【０００８】
即ち、請求項１においては、洗濯物を干す物干し部を有する物干し部屋と、前記物干し部屋内の温度を計測する温度計測部と、前記物干し部屋内の湿度を計測する湿度計測部と、前記洗濯物を乾燥させるための複数の異なるモードで駆動し、室内環境を制御可能な駆動部と、前記洗濯物の目標となる乾燥態様に基づいて前記駆動部を駆動させる制御部と、を具備し、前記制御部は、前記温度計測部の計測結果及び前記湿度計測部の計測結果の少なくとも一方に基づいて、前記複数の異なるモードのうち一つのモードを選択し、選択したモードで前記駆動部を駆動させるものである。
【０００９】
請求項２においては、前記駆動部は、前記物干し部屋内の温度を上昇させる暖房部と、前記物干し部に送風する送風部と、前記物干し部屋内の空気を外部へ排出する換気部と、を含み、前記制御部は、前記温度計測部の計測結果が第一の所定の温度値未満である場合には、前記一つのモードとして第一のモードを選択し、前記物干し部屋内の温度が前記第一の所定の温度値よりも高い温度値となるように前記暖房部を駆動し、且つ、前記送風部を駆動し、且つ、前記換気部を駆動するものである。
【００１０】
請求項３においては、前記駆動部は、前記物干し部屋内の除湿を行う除湿部を含み、前記制御部は、前記温度計測部の計測結果が、前記第一の所定の温度値以上、且つ、前記第一の所定の温度値よりも高い第二の所定の温度値未満である場合には、前記一つのモードとして第二のモードを選択し、前記除湿部を駆動し、且つ、前記送風部を駆動し、且つ、前記換気部を駆動しないものである。
【００１１】
請求項４においては、前記制御部は、前記温度計測部の計測結果が前記第二の所定の温度値以上であって、且つ、前記湿度計測部の計測結果が所定の湿度値未満である場合には、前記一つのモードとして第三のモードを選択し、前記送風部を駆動し、且つ、前記換気部を駆動するものである。
【００１２】
請求項５においては、前記制御部は、前記温度計測部の計測結果が、前記第二の所定の温度値以上であって、且つ、前記湿度計測部の計測結果が所定の湿度値以上である場合には、前記一つのモードとして前記第二のモードを選択するものである。
【００１３】
請求項６においては、前記駆動部は、前記物干し部に送風する送風部と、前記物干し部屋内の空気を外部へ排出する換気部と、を含み、前記制御部は、所定の期間だけ前記換気部及び前記送風部を駆動し、前記所定の期間前後の前記湿度計測部の計測結果に基づいて、前記物干し部屋の湿度変化率を算出し、前記算出した湿度変化率に基づいて、前記一つのモードの選択を行うものである。
【発明の効果】
【００１４】
本発明の効果として、以下に示すような効果を奏する。
【００１５】
請求項１においては、洗濯物の乾燥を適宜行うことができる。
【００１６】
請求項２においては、洗濯物の乾燥を適宜行うことができる。
【００１７】
請求項３においては、洗濯物の乾燥を適宜行うことができる。
【００１８】
請求項４においては、洗濯物の乾燥を適宜行うことができる。
【００１９】
請求項５においては、洗濯物の乾燥を適宜行うことができる。
【００２０】
請求項６においては、洗濯物の乾燥を適宜行うことができる。
【図面の簡単な説明】
【００２１】
【図１】本発明の一実施形態に係る物干しシステムの物干し部屋の構成を示した斜視図。
【図２】同じく、物干し部屋の構成を示した正面断面図。
【図３】同じく、物干し部屋の構成を示した側面断面図。
【図４】同じく、ブロック図。
【図５】同じく、制御装置による第一実施形態に係る制御の流れを示したフローチャート。
【図６】同じく、制御装置による第二実施形態に係る制御の流れを示したフローチャート。
【発明を実施するための形態】
【００２２】
以下の説明においては、図中に記した矢印に従って、上下方向、左右方向及び前後方向をそれぞれ定義する。
【００２３】
以下では、図１から図４を用いて、本発明の一実施形態に係る物干しシステム１の構成について説明する。
【００２４】
図１から図４に示す物干しシステム１は、室内で洗濯物（洗濯して水分を含んだ状態の衣類）Ｗを干して乾燥させるためのシステムである。物干しシステム１は、住宅２に設けられる。物干しシステム１は、主として物干し部屋１００、吸気ガラリ１０、排気ガラリ２０、換気装置３０、エアコン４０、操作装置５０及び制御装置６０を具備する。
【００２５】
図１から図３に示す物干し部屋１００は、洗濯物Ｗを干して乾燥させるための部屋（非居室）である。物干し部屋１００は、前後方向、左右方向及び上下方向が壁部により囲まれ、正面視略矩形状に形成される。より詳細には、物干し部屋１００は、前側に配置された前壁部１０１と、後側に配置された後壁部１０２と、左側に配置された左壁部１０３と、右側に配置された右壁部１０４とにより、前後方向及び左右方向が囲まれる。そして、物干し部屋１００は、これらの壁部の上端部に亘って配置される天井部１０５と、これらの壁部の下端部に亘って配置される床部１０６とにより、上下方向が囲まれる。
【００２６】
また、物干し部屋１００の大きさは、１帖程度に形成される。より詳細には、物干し部屋１００の奥行き（左壁部１０３と右壁部１０４との間の左右方向における距離）は、９００ｍｍ程度に形成される。また、物干し部屋１００の幅（前壁部１０１と後壁部１０２との間の前後方向における距離）は、１８００ｍｍ程度に形成される。また、物干し部屋１００の高さ（床部１０６と天井部１０５との間の上下方向における距離）は、２７００ｍｍ程度に形成される。このように、物干し部屋１００は、住宅２内において比較的狭いスペースに設置可能である。
【００２７】
また、物干し部屋１００には、物干し竿１２０が設けられる。物干し竿１２０は、洗濯物Ｗを干すための細長い円柱状の部材（竿）である。物干し竿１２０は、長手方向を前後方向へ向けて配置される。物干し竿１２０は、物干し部屋１００の略前端から略後端に亘って延びるように配置される。なお、本実施形態において、物干し竿１２０は、３つ設けられる。３つの物干し竿１２０は、互いの高さが異なるように、上中下段に分けて配置される。
【００２８】
３段の物干し竿１２０のうち中段及び下段の物干し竿１２０は、物干し部屋１００の左部に配置される。中段及び下段の物干し竿１２０は、前後に配置された２つの棒部材１２２を介して床部１０６に立設される。
【００２９】
３段の物干し竿１２０のうち上段の物干し竿１２０は、物干し部屋１００の右部に配置される。上段の物干し竿１２０は、前後に配置された２つの紐部材１２１を介して天井部１０５に吊設される。上段の物干し竿１２０は、公知の昇降装置１３０（図４参照）を駆動させて昇降可能に（上下方向に移動可能に）構成される。居住者は、上段の物干し竿１２０に洗濯物Ｗを干す際や、上段の物干し竿１２０から洗濯物Ｗを回収する際に、上段の物干し竿１２０を下降させた状態とすることで、容易に洗濯物Ｗを干したり回収したりすることができる。上段の物干し竿１２０は、下降させたときに上段の物干し竿１２０に干した洗濯物Ｗと中段及び下段の物干し竿１２０に干した洗濯物Ｗとが互いに衝突しないように、中段及び下段の物干し竿１２０に対して左右方向にずらして配置される。
【００３０】
物干し部屋１００の右方には、右壁部１０４を隔てて洗面脱衣室２００が隣接している（図２参照）。物干し部屋１００の右壁部１０４には、ドア１１１が形成される。物干し部屋１００にいる居住者は、ドア１１１から洗面脱衣室２００に入ることができる。また、洗面脱衣室２００にいる居住者は、ドア１１１から物干し部屋１００に入ることができる。
【００３１】
図１から図３に示す吸気ガラリ１０は、物干し部屋１００と外部（より詳細には、住宅２内において前壁部１０１を隔てて隣接している部屋）とを連通するものである。吸気ガラリ１０は、前壁部１０１を略前後方向に貫通するように形成される。吸気ガラリ１０は、左右方向において前壁部１０１の略中央に形成される。吸気ガラリ１０は、上下方向において前壁部１０１の下部（床部１０６に近い位置）に形成される。
【００３２】
図１から図３に示す排気ガラリ２０は、物干し部屋１００と外部（より詳細には、後壁部１０２を隔てた室外（住宅２の外部））とを連通するものである。排気ガラリ２０は、後壁部１０２を略前後方向に貫通するように形成される。排気ガラリ２０は、左右方向において後壁部１０２の略中央に形成される。排気ガラリ２０は、吸気ガラリ１０よりも上方に形成される。具体的には、排気ガラリ２０は、上下方向において後壁部１０２の上部（天井部１０５に近い位置）に形成される。
【００３３】
このように、吸気ガラリ１０は床部１０６と近い位置に、排気ガラリ２０は天井部１０５と近い位置に配置されているため、後述する換気装置３０により物干し部屋１００内に取り込んだ空気を下方から上方まで行き渡らせることができる。このため、３段の物干し竿１２０に干した洗濯物Ｗそれぞれに、風を当てることができる。つまり、吸気ガラリ１０、排気ガラリ２０及び換気装置３０により、物干し部屋１００の洗濯物Ｗの乾燥を促進させることができる。
【００３４】
図３及び図４に示す換気装置３０は、例えばファンであり、一方側（吸込側）から空気を吸い込み、他側（吐出側）から空気を吐き出すものである。換気装置３０は、後述するエアコン４０と共に物干し部屋１００の環境（室内環境）を制御する。換気装置３０は、吸込側を前方へ向けて、吐出側を後方へ向けて配置される。換気装置３０は、正面視において排気ガラリ２０と重複する位置に、後壁部１０２の外壁面（前後方向外側の面）側に配置される。これにより、換気装置３０は、吸気ガラリ１０を介して物干し部屋１００内に空気を取り込むと共に、物干し部屋１００内の空気を排気ガラリ２０を介して外部へ排出させる。換気装置３０は、風力の異なる２つのモード（換気量が２００ｍ３／ｈである「強」、及び換気量が５０ｍ３／ｈである「弱」）で駆動可能に形成される。
【００３５】
図１から図４に示すエアコン４０は、物干し部屋１００内における空気の湿度や温度等の調整を行うもの（空調装置）である。エアコン４０は、換気装置３０と共に物干し部屋１００の環境（室内環境）を制御する。エアコン４０は、前後方向において左壁部１０３の略中央に配置される。エアコン４０は、上下方向において左壁部１０３の上部（天井部１０５に近い位置）に配置される。エアコン４０は、略角柱状に形成される。エアコン４０は、長手方向を前後方向へ向けると共に、空気の吹出口４０ａを右下方へ向けるように配置される。エアコン４０は、主として送風部４１、除湿部４２、暖房部４３、湿度計測部４４及び温度計測部４５を具備する。
【００３６】
送風部４１は、エアコン４０の吹出口４０ａから風を送るものである。送風部４１は、風力の異なる２つのモード（「強」と「弱」）で駆動可能に構成される。
【００３７】
除湿部４２は、物干し部屋１００内の除湿を行うものである。除湿部４２は、物干し部屋１００内の温度を維持したまま（下げないように）除湿を行うモード（以下では「温度維持除湿モード」と称する）で駆動可能に構成される。
【００３８】
暖房部４３は、物干し部屋１００内の温度を上げるものである。暖房部４３は、エアコン４０内で暖めた空気を、吹出口４０ａから外部（物干し部屋１００内）へと放出する。暖房部４３は、物干し部屋１００内の温度を所望の温度とすることができる。
【００３９】
このような、送風部４１、除湿部４２及び暖房部４３は、互いに独立して駆動することができる。また、送風部４１、除湿部４２及び暖房部４３は、同時に（任意の組み合わせで）駆動することもできる。
【００４０】
湿度計測部４４は、物干し部屋１００内の空気の湿度を計測するものである。
【００４１】
温度計測部４５は、物干し部屋１００内の空気の温度を計測するものである。
【００４２】
操作装置５０は、図示せぬタッチパネル（表示部及び操作部）を有するタブレット端末である。操作装置５０の操作により、物干しシステム１を動作させることができる。具体的には、操作装置５０の操作により、物干しシステム１を待機状態から起動状態にさせることができる。また、操作装置５０の操作により、後述する複数の異なる運転モードのうち一つのモードを選択することができる。また、操作装置５０の操作により、洗濯物Ｗの乾燥を完了させるための所望の期間を入力することができる。
【００４３】
制御装置６０は、物干しシステム１の動作を制御するものである。制御装置６０は、ＲＡＭやＲＯＭ等の記憶部や、ＣＰＵ等の演算処理部、Ｉ／Ｏ等の入出力装置等により構成される。制御装置６０は、所定の演算処理や記憶処理等を行うことができる。制御装置６０は、物干しシステム１の動作を制御するための種々の情報やプログラム等が予め記憶される。
【００４４】
制御装置６０は、操作装置５０と接続される。制御装置６０は、操作装置５０と各種の信号の入出力が行われる。これによって、制御装置６０は、物干しシステム１の各装置に対して操作装置５０への操作に応じた種々の制御を行うことができる。また、制御装置６０は、操作装置５０に、例えば居住者の操作を受け付けたり、物干しシステム１の動作状態を居住者に報知したりする等の種々の表示を行うことができる。
【００４５】
制御装置６０は、昇降装置１３０と接続される。制御装置６０は、昇降装置１３０と各種の信号の入出力が行われる。これによって、制御装置６０は、昇降装置１３０の駆動（昇降）を制御することができる。また、制御装置６０は、昇降装置１３０の駆動状態（例えば、高さ）に関する情報を取得することができる。
【００４６】
制御装置６０は、換気装置３０と接続される。制御装置６０は、換気装置３０と各種の信号の入出力が行われる。これによって、制御装置６０は、換気装置３０の駆動を制御することができる。具体的には、制御装置６０は、換気装置３０を任意のモード（「強」又は「弱」）で駆動させることができる。制御装置６０は、換気装置３０の駆動状態に関する情報を取得することができる。
【００４７】
制御装置６０は、エアコン４０と接続される。制御装置６０は、エアコン４０と各種の信号の入出力が行われる。これによって、制御装置６０は、エアコン４０の駆動を制御することができる。また、制御装置６０は、エアコン４０の駆動状態に関する情報を取得することができる。
【００４８】
具体的には、制御装置６０は、送風部４１を任意のモード（「強」又は「弱」）で駆動させることができる。制御装置６０は、送風部４１の駆動状態に関する情報を取得することができる。
【００４９】
また、制御装置６０は、除湿部４２を任意のモード（例えば、温度維持除湿モード）で駆動させることができる。制御装置６０は、除湿部４２の駆動状態に関する情報を取得することができる。
【００５０】
また、制御装置６０は、暖房部４３を物干し部屋１００内の温度が所望の温度となるように駆動させることができる。制御装置６０は、暖房部４３の駆動状態に関する情報を取得することができる。
【００５１】
また、制御装置６０は、湿度計測部４４の計測結果に関する情報を取得することができる。
【００５２】
また、制御装置６０は、温度計測部４５の計測結果に関する情報を取得することができる。
【００５３】
以下では、上述の如き構成の物干しシステム１の概要について説明する。
【００５４】
物干しシステム１は、待機状態と起動状態とが切り替え可能に構成される。待機状態とは、電源がオフの状態であり、各装置が概ね駆動（制御）不能な状態である。また、起動状態とは、電源がオンの状態であり、各装置が駆動（制御）可能な状態である。物干しシステム１は、操作装置５０の電源入力部がオンとされることによって待機状態から起動状態へと切り替わる。このように、洗濯物Ｗを乾燥させる場合にだけ起動状態とすることで、物干しシステム１の省エネ化を図ることができる。
【００５５】
また、物干しシステム１は、洗濯物Ｗを適宜乾燥させるため、複数の異なる態様（運転モード）で運転可能に構成される。前記複数の異なる運転モードには、標準モードと、速乾モードと、省エネモードと、が含まれる。
【００５６】
標準モードは、エアコン４０の暖房部４３を物干し部屋１００内の温度が３０℃となるように駆動させると共に送風部４１を「強」で駆動させ、且つ、換気装置３０を「強」で駆動させる態様である。
【００５７】
速乾モードは、エアコン４０の除湿部４２を温度維持除湿モードで駆動（運転）させると共に送風部４１を「強」で駆動させ、且つ、換気装置３０の駆動を停止させる態様である。速乾モードで運転された場合、標準モードで運転された場合よりも電気量を消費し易くなるが、洗濯物Ｗを乾燥し易くすることができる。
【００５８】
省エネモードは、エアコン４０の送風部４１を「強」で駆動させ、且つ、換気装置３０を「強」で駆動させる態様である。省エネモードで運転された場合、標準モードで運転された場合よりも洗濯物Ｗが乾燥し難くなるが、電気量を消費し難くする（省エネ効果を得る）ことができる。
【００５９】
こうして、物干しシステム１においては、標準モード、速乾モード及び省エネモードのうち一つのモードが選択され、当該選択されたモードで運転を行うことができる。
【００６０】
次に、図５を用いて、物干しシステム１を用いて洗濯物Ｗを乾燥させる場合の、制御装置６０による第一実施形態に係る制御の流れについて説明する。
【００６１】
ステップＳ１０において、物干しシステム１は、待機状態である。このような待機状態においても、制御装置６０は、エアコン４０の湿度計測部４４及び温度計測部４５から、物干し部屋１００内の温度及び湿度の計測結果を取得している。このように、制御装置６０は、待機状態であっても、物干し部屋１００内の温度及び湿度の計測結果を絶えず（継続的に）取得している。制御装置６０は、取得した計測結果を記憶しておく。
【００６２】
なお以下では、居住者によって洗濯物Ｗが干され、当該洗濯物Ｗの乾燥を行うために操作装置５０の電源入力部がオンとされたものとする。
【００６３】
ステップＳ１１において、制御装置６０は、操作装置５０の電源入力部がオンとされたか否かを判断する。制御装置６０は、操作装置５０の電源入力部がオンとされたと判断すると（ステップＳ１１で「ＹＥＳ」）、物干しシステム１を起動状態とする。これによって、物干しシステム１の各装置が駆動（制御）可能な状態となる。
【００６４】
また、制御装置６０は、物干しシステム１を起動状態とすると、洗濯物Ｗの乾燥を完了させる期間の設定を行う。本実施形態においては、洗濯物Ｗの乾燥を完了させるための所望の期間（以下では「乾燥希望期間」と称する）が、居住者によって操作装置５０に入力（設定）される。こうして、操作装置５０に乾燥希望期間が入力されると、制御装置６０は当該乾燥希望期間に関する情報を取得する。これによって、居住者は、例えば洗濯物Ｗを干した後に外出する場合、帰宅する時間を考慮して乾燥希望期間を入力すれば、帰宅する時間に合わせて洗濯物Ｗの乾燥を完了させることができる。なお以下では、居住者は乾燥希望期間として８時間を入力したものとする。なお、本実施形態においては、乾燥希望期間を、居住者が入力するものとしたが、予め制御装置６０に設定されていてもよい。
【００６５】
こうして、制御装置６０は、乾燥希望期間（８時間）が入力されると、これ以降の処理において、この８時間で洗濯物Ｗの乾燥を完了させるための運転モードを選択し、当該選択した運転モードで運転を行う。
【００６６】
なお、制御装置６０は、操作装置５０の電源入力部がオンとされたと判断するまで、ステップＳ１１の処理を繰り返す（ステップＳ１１で「ＮＯ」）。
【００６７】
ステップＳ１２において、制御装置６０は、物干し部屋１００内の温度が第一の所定の温度値以上であるか否かを判断する。本実施形態においては、前記第一の所定の温度値として、２３℃が設定される。すなわち、制御装置６０は、エアコン４０の温度計測部４５から取得した物干し部屋１００内の温度が２３℃以上であるか否かを判断する。
【００６８】
そして、制御装置６０は、エアコン４０の温度計測部４５から取得した物干し部屋１００内の温度が２３℃よりも低いと判断した場合（ステップＳ１２で「ＮＯ」）には、複数の異なる運転モードのうち標準モードを選択し、当該選択した標準モードで運転を行う（ステップＳ１５）。なお、２３℃（第一の所定の温度値）は、標準モードで運転を行った場合に、乾燥希望期間（本実施形態においては、８時間）以内に洗濯物Ｗの乾燥が完了するか否かを判断するために設定された値である。すなわち、２３℃未満である場合には、標準モードで運転を行うと、洗濯物Ｗの乾燥が８時間以内に完了すると判断される。このような場合には、標準モードが選択される。なお、第一の所定の温度値は、乾燥希望期間の設定に応じて変更される。
【００６９】
また、制御装置６０は、エアコン４０の温度計測部４５から取得した物干し部屋１００内の温度が２３℃以上であると判断した場合（ステップＳ１２で「ＹＥＳ」）には、ステップＳ１３において、物干し部屋１００内の温度が第二の所定の温度値以上であるか否かを判断する。本実施形態においては、前記第二の所定の温度値として、３０℃が設定される。すなわち、制御装置６０は、エアコン４０の温度計測部４５から取得した物干し部屋１００内の温度が３０℃以上であるか否かを判断する。
【００７０】
そして、制御装置６０は、エアコン４０の温度計測部４５から取得した物干し部屋１００内の温度が３０℃よりも低いと判断した場合（ステップＳ１３で「ＮＯ」）には、複数の異なる運転モードのうち速乾モードを選択し、当該選択した速乾モードで運転を行う（ステップＳ１６）。すなわち、３０℃未満である場合には、省エネモードや標準モードで運転を行っても、洗濯物Ｗの乾燥が８時間以内に完了しないと判断される。このような場合には、速乾モードが選択される。
【００７１】
また、制御装置６０は、エアコン４０の温度計測部４５から取得した物干し部屋１００内の温度が３０℃以上であると判断した場合（ステップＳ１３で「ＹＥＳ」）には、ステップＳ１４において、物干し部屋１００内の湿度が所定の湿度値以上であるか否かを判断する。本実施形態においては、前記所定の湿度値として、４０％ＲＨが設定される。すなわち、制御装置６０は、エアコン４０の湿度計測部４４から取得した物干し部屋１００内の湿度が４０％ＲＨ以上であるか否かを判断する。
【００７２】
そして、制御装置６０は、エアコン４０の湿度計測部４４から取得した物干し部屋１００内の湿度が４０％ＲＨよりも低いと判断した場合（ステップＳ１４で「ＮＯ」）には、複数の異なる運転モードのうち省エネモードを選択し、当該選択した省エネモードで運転を行う（ステップＳ１７）。なお、３０℃（第二の所定の温度値）及び４０％ＲＨ（所定の湿度値）は、省エネモードで運転を行った場合に、乾燥希望期間（本実施形態においては、８時間）以内に洗濯物Ｗの乾燥が完了するか否かを判断するために設定された値である。すなわち、３０℃以上であって、４０％ＲＨ未満である場合には、省エネモードで運転を行うと、洗濯物Ｗの乾燥が８時間以内に完了すると判断される。このような場合には、省エネモードが選択される。なお、第二の所定の温度値及び所定の湿度値は、乾燥希望期間の設定に応じて変更される。
【００７３】
一方、制御装置６０は、エアコン４０の湿度計測部４４から取得した物干し部屋１００内の湿度が４０％ＲＨ以上であると判断した場合（ステップＳ１４で「ＹＥＳ」）には、複数の異なる運転モードのうち速乾モードを選択し、当該選択した速乾モードで運転を行う（ステップＳ１６）。すなわち、３０℃以上であって、４０％ＲＨ以上である場合には、省エネモードや標準モードで運転を行っても、洗濯物Ｗの乾燥が８時間以内に完了しないと判断される。このような場合には、速乾モードが選択される。
【００７４】
ステップＳ１８において、制御装置６０は、選択した運転モード（ステップＳ１５、ステップＳ１６、ステップＳ１７参照）で運転を行った後、当該運転を終了させるための条件（以下では「運転終了条件」と称する）が満たされたか否かを判断する。なお、本実施形態において、運転終了条件は、導出される湿度変化率に基づいて判断される。
【００７５】
具体的には、制御装置６０は、選択した運転モードの運転を開始した後、一定の期間（例えば、１０分）ごとの物干し部屋１００内の湿度の計測結果に基づいて、湿度変化の割合を示す湿度変化率を導出する。ここで、物干し部屋１００内の湿度変化率は、洗濯物Ｗの乾燥状態の進行と関連性を有するものである。すなわち、洗濯物Ｗが略乾燥した状態となると、当該洗濯物Ｗから物干し部屋１００内へと水分が放出されなくなるため、物干し部屋１００内の湿度変化率が０％に近づくこととなる。本実施形態においては、前記導出された湿度変化率が、１％未満となった場合に、運転終了条件が満たされたと判断する。
【００７６】
そして、制御装置６０は、運転終了条件が満たされたと判断した場合（ステップＳ１８で「ＹＥＳ」）には、選択した運転モードの運転を終了する（ステップＳ１９）。なお、制御装置６０は、運転終了条件が満たされたと判断するまで、ステップＳ１８の処理を繰り返す（ステップＳ１８で「ＮＯ」）。
【００７７】
ステップＳ１８において、制御装置６０は、運転終了条件が満たされたと判断すると（ステップＳ１８で「ＹＥＳ」）、物干しシステム１を待機状態とし、洗濯物Ｗを乾燥させる場合の制御を終了する。
【００７８】
このように、制御装置６０は、ステップＳ１１で乾燥希望期間（８時間）が入力されると、これ以降の処理（ステップＳ１２からステップＳ１９）において、この８時間で洗濯物Ｗの乾燥を完了させるための運転モードを選択し、当該選択した運転モードで運転を行うものである。
【００７９】
以上のように、本発明の一実施形態（第一実施形態）に係る物干しシステム１においては、
洗濯物を干す物干し竿１２０（物干し部）を有する物干し部屋１００と、
前記物干し部屋１００内の温度を計測する温度計測部４５と、
前記物干し部屋１００内の湿度を計測する湿度計測部４４と、
前記洗濯物Ｗを乾燥させるための標準モード、省エネモード及び速乾モード（複数の異なるモード）で駆動し、室内環境を制御可能な駆動部（換気装置３０及びエアコン４０）と、
前記洗濯物Ｗの目標となる乾燥態様（例えば、８時間乾燥）に基づいて前記駆動部を駆動させる制御装置６０（制御部）と、
を具備し、
前記制御装置６０（制御部）は、
前記温度計測部４５の計測結果及び前記湿度計測部４４の計測結果の少なくとも一方に基づいて、前記複数の異なるモードのうち一つのモードを選択し、選択したモードで前記駆動部を駆動させるものである。
【００８０】
このような構成により、物干しシステム１においては、前記温度計測部４５の計測結果及び前記湿度計測部４４の計測結果の少なくとも一方に基づいて、標準モード、省エネモード及び速乾モードのうち、選択された一つのモードで運転が行われるため、例えば単に乾燥時間に基づく場合と比べて、洗濯物Ｗの乾燥を適宜行うことができる。
【００８１】
また、本発明の一実施形態に係る物干しシステム１においては、
前記駆動部は、
前記物干し部屋１００内の温度を上昇させる暖房部４３と、
前記物干し竿１２０（物干し部）に送風する送風部４１と、
前記物干し部屋１００内の空気を外部へ排出する換気装置３０（換気部）と、
を含み、
前記制御装置６０（制御部）は、
前記温度計測部４５の計測結果が第一の所定の温度値（２３℃）未満である場合には、
前記一つのモードとして標準モード（第一のモード）を選択し、
前記物干し部屋１００内の温度が前記第一の所定の温度値（２３℃）よりも高い温度値（３０℃）となるように前記暖房部４３を駆動し、
且つ、前記送風部４１を駆動し、
且つ、前記換気装置３０（換気部）を駆動するものである。
【００８２】
こうして、本実施形態においては、上述の如く物干し部屋１００内の温度が第一の所定の温度値として２３℃よりも低いと判断された場合（ステップＳ１２で「ＮＯ」）に、標準モードを選択し、当該選択した標準モードで運転を行っている（ステップＳ１５）。
【００８３】
このような構成により、洗濯物Ｗの乾燥を適宜行うことができる。
すなわち、比較的温度が低い場合には、標準モードで運転を行うことによって、エアコン４０の暖房部４３を駆動させて物干し部屋１００内の温度をある程度高く（３０℃となるように）し、さらに送風部４１を「強」で駆動させ、且つ、換気装置３０を「強」で駆動させることによって、８時間以内に洗濯物Ｗの乾燥を完了させることができる。
【００８４】
また、本発明の一実施形態に係る物干しシステム１においては、
前記駆動部は、
前記物干し部屋１００内の除湿を行う除湿部４２を含み、
前記制御装置６０（制御部）は、
前記温度計測部４５の計測結果が、前記第一の所定の温度値（２３℃）以上、且つ、前記第一の所定の温度値（２３℃）よりも高い第二の所定の温度値（３０℃）未満である場合には、
前記一つのモードとして速乾モード（第二のモード）を選択し、
前記除湿部４２を駆動し、
且つ、前記送風部４１を駆動し、
且つ、前記換気装置３０（換気部）を駆動しないものである。
【００８５】
こうして、本実施形態においては、上述の如く物干し部屋１００内の温度が第一の所定の温度値として２３℃以上であって、且つ第二の所定の温度値として３０℃よりも低いと判断された場合（ステップＳ１２で「ＹＥＳ」、ステップＳ１３で「ＮＯ」）に、速乾モードを選択し、当該選択した速乾モードで運転を行っている（ステップＳ１６）。
【００８６】
このような構成により、洗濯物Ｗの乾燥を適宜行うことができる。
すなわち、温度が中間（比較的低い温度と比較的高い温度との間）である場合には、エアコン４０の除湿部４２を温度維持除湿モードで駆動（運転）させると共に送風部４１を「強」で駆動させ、且つ、換気装置３０の駆動を停止させることによって、８時間以内に洗濯物Ｗの乾燥を完了させることができる。すなわち、他のモードで運転された場合にはできないような場合であっても、８時間以内に洗濯物Ｗの乾燥を完了させることができる。
【００８７】
また、本発明の一実施形態に係る物干しシステム１においては、
前記制御装置６０（制御部）は、
前記温度計測部４５の計測結果が前記第二の所定の温度値（３０℃）以上であって、
且つ、前記湿度計測部４４の計測結果が所定の湿度値（４０％ＲＨ）未満である場合には、
前記一つのモードとして省エネモード（第三のモード）を選択し、
前記送風部４１を駆動し、
且つ、前記換気装置３０（換気部）を駆動するものである。
【００８８】
こうして、本実施形態においては、上述の如く物干し部屋１００内の温度が第二の所定の温度値として３０℃以上と判断された場合（ステップＳ１３で「ＹＥＳ」）であって、且つ、物干し部屋１００内の湿度が所定の湿度値として４０％ＲＨよりも低いと判断された場合（ステップＳ１４で「ＮＯ」）に、省エネモードを選択し、当該選択した省エネモードで運転を行っている（ステップＳ１７）。
【００８９】
このような構成により、洗濯物Ｗの乾燥を適宜行うことができる。
すなわち、比較的温度が高い場合であって、且つ比較的湿度が低い場合には、省エネモードで運転を行うことによって、エアコン４０の送風部４１を「強」で駆動させ、且つ、換気装置３０を「強」で駆動させることによって、８時間以内に洗濯物Ｗの乾燥を完了させることができる。すなわち、８時間以内に洗濯物Ｗの乾燥を完了させると共に、省エネ効果を得ることができる。
【００９０】
また、本発明の一実施形態に係る物干しシステム１においては、
前記制御装置６０（制御部）は、
前記温度計測部４５の計測結果が、前記第二の所定の温度値（３０℃）以上であって、
且つ、前記湿度計測部４４の計測結果が所定の湿度値（４０％ＲＨ）以上である場合には、
前記一つのモードとして前記速乾モード（第二のモード）を選択するものである。
【００９１】
こうして、本実施形態においては、上述の如く物干し部屋１００内の温度が第二の所定の温度値として３０℃以上と判断された場合（ステップＳ１３で「ＹＥＳ」）であって、且つ、物干し部屋１００内の湿度が所定の湿度値として４０％ＲＨ以上と判断された場合（ステップＳ１４で「ＹＥＳ」）に、速乾モードを選択し、当該選択した速乾モードで運転を行っている（ステップＳ１６）。
【００９２】
このような構成により、洗濯物Ｗの乾燥を適宜行うことができる。
すなわち、比較的温度が高い場合であって且つ比較的湿度が高い場合には、エアコン４０の除湿部４２を温度維持除湿モードで駆動（運転）させると共に送風部４１を「強」で駆動させ、且つ、換気装置３０の駆動を停止させることによって、８時間以内に洗濯物Ｗの乾燥を完了させることができる。すなわち、他のモードで運転された場合にはできないような場合であっても、８時間以内に洗濯物Ｗの乾燥を完了させることができる。
【００９３】
なお、本実施形態に係る物干し竿１２０は、本発明に係る物干し部の実施の一形態である。
また、本実施形態に係る吸気ガラリ１０は、本発明に係る吸気口の実施の一形態である。
また、本実施形態に係る排気ガラリ２０は、本発明に係る排気口の実施の一形態である。
また、本実施形態に係る換気装置３０及びエアコン４０（送風部４１、除湿部４２、暖房部４３）は、本発明に係る駆動部の実施の一形態である。
また、本実施形態に係る乾燥希望期間（８時間乾燥）は、本発明に係る洗濯物の目標となる乾燥態様の実施の一形態である。
また、本実施形態に係る標準モード、省エネモード及び速乾モードは、本発明に係る複数の異なるモード（第一モード、第三モード及び第二モード）の実施の一形態である。
【００９４】
以上、本発明の実施形態を説明したが、本発明は上記構成に限定されるものではなく、特許請求の範囲に記載された発明の範囲内で種々の変更が可能である。
【００９５】
例えば、本実施形態においては、物干しシステム１は、住宅２に設けられるものとしたが、これに限定されるものではない。物干しシステム１は、宿泊施設や、学校、病院等に設けられてもよい。
【００９６】
また、本実施形態においては、物干し竿１２０は物干し部屋１００の上部から下部にかけて３段に形成されるものとしたが、物干し竿１２０の段数はこれに限定されるものではない。また、中段及び下段の物干し竿１２０は、前後に配置された２つの棒部材１２２を介して床部１０６に立設されるものとしたが、中段及び下段の物干し竿１２０が支持される構成はこれに限定されるものではない。例えば、中段及び下段の物干し竿１２０は、それぞれの長手方向における両端部が、前壁部１０１及び後壁部１０２に支持される構成であってもよい。また、中段及び下段の物干し竿１２０は、前壁部１０１及び後壁部１０２に固定された図示せぬブラケットにより支持される構成であってもよい。このように、中段及び下段の物干し竿１２０が支持される構成は、種々の構成を採用することができる。
【００９７】
また、本実施形態においては、排気ガラリ２０は後壁部１０２を前後方向に貫通するように形成されるものとしたが、これに限定されるものではない。排気ガラリ２０は、左壁部１０３を左右方向に貫通するように形成されてもよい。この場合、換気装置３０として、洗面脱衣室２００の既設の換気装置を活用することができる。
【００９８】
また、本実施形態においては、換気装置３０は、後壁部１０２の外壁面側に配置されるものとしたが、これに限定されるものではない。換気装置３０は、正面視において吸気ガラリ１０と重複する位置に、前壁部１０１の内壁面（前後方向内側の面）側に配置されてもよい。また、換気装置３０は、天井部１０５に配置されてもよい。なお、換気装置３０が天井部１０５に配置された場合、排気ガラリ２０も同様に天井部１０５に配置されてもよい。このような構成によれば、排気ガラリ２０から物干し部屋１００の外部（天井部１０５の上方、すなわち天井裏）へと空気を排出させると共に、当該空気を天井裏に配置された図示せぬダクト等を介して住宅２の外部へと排出させることができる。
【００９９】
また、本実施形態においては、排気ガラリ２０は、物干し部屋１００と住宅の外部とを連通するものとしたが、物干し部屋１００と物干し部屋１００に隣接する他の部屋とを連通するものであってもよい。
【０１００】
また、本実施形態においては、複数の異なるモードとして、標準モードと、速乾モードと、省エネモードと、が設けられるが、これに限定されるものではない。例えば、４つ以上のモードが設けられてもよい。
【０１０１】
また、本実施形態においては、物干し部屋１００の湿度変化率が１％未満となった場合に、運転終了条件が満たされたと判断するが、これに限定されるものではない。例えば、洗濯物Ｗに含まれる水分変化の割合を示す水分変化率に基づいて、運転終了条件が満たされたと判断してもよい。具体的には、洗濯物Ｗの水分変化率が、０．５％未満になった場合に運転終了条件が満たされたと判断してもよい。
【０１０２】
また、本実施形態においては、本発明に係る第一の所定の温度値の温度として２３℃、第二の所定の温度値の温度として３０℃を例示したが、これに限定されるものではない。例えば、第一の所定の温度値の温度及び第二の所定の温度値の温度は、任意の設定とすることができ、例えば乾燥希望期間等の設定に応じて変更することもできる。
【０１０３】
また、本実施形態においては、速乾モードにおいて、除湿部４２を温度維持除湿モードで駆動するものとしたが、これに限定されるものではない。例えば、速乾モードにおいて、除湿部４２は、物干し部屋１００内の温度を維持したままではなく、温度が下がるように除湿を行ってもよい。なお、速乾モードにおいて、物干し部屋１００内の温度が下がった場合には、洗濯物Ｗの乾燥が阻害されるため、除湿部４２は温度を維持したままか、又は温度を上げるように除湿を行うことが望ましい。
【０１０４】
また、本実施形態においては、本発明に係る洗濯物の目標となる乾燥態様として乾燥希望期間（すなわち、乾燥が完了するための期間を目標とするもの）を例示したが、これに限定されるものではない。例えば、本発明に係る洗濯物の目標となる乾燥態様は、省エネ効果等の期間以外を目標とするものであってもよい。
【０１０５】
また、本実施形態においては、送風部４１、除湿部４２、暖房部４３、湿度計測部４４及び温度計測部４５はエアコン４０に設けられる構成を例示したが、これに限定されるものではない。例えば、送風部４１、除湿部４２、暖房部４３、湿度計測部４４及び温度計測部４５は、それぞれエアコン４０から独立した機器として物干し部屋１００に設けられるものであってもよい。例えば、暖房部としてオイルヒーターのように送風機能を有さないものを使用する場合には、送風する送風部を当該暖房部の近傍に配置することが望ましい。また例えば、湿度計測部４４及び温度計測部４５を、換気装置３０及び排気ガラリ２０の近傍に配置すれば、物干し部屋１００の温度及び湿度をより正確に計測することができる。
【０１０６】
以下では、図６を用いて、物干しシステム１を用いて洗濯物Ｗを乾燥させる場合の、制御装置６０による第二実施形態に係る制御の流れについて説明する。
【０１０７】
なお、制御装置６０による第二実施形態に係る制御の流れにおいて、第一実施形態に係る制御の流れと同一であるステップには、当該第一実施形態の説明で用いたステップを付することで、その説明を省略するものとする。
【０１０８】
ステップＳ１１から移行したステップＳ２２において、制御装置６０は、エアコン４０（より詳細には、送風部４１）及び換気装置３０を所定の態様で駆動させる。具体的には、制御装置６０は、エアコン４０の送風部４１を「強」で駆動させ、且つ、換気装置３０を「強」で駆動させる。このように、制御装置６０は、標準モード、速乾モード及び省エネモードのうち一つのモードを選択するための判断（後述する最適運転判断）を行う前に、当該選択に必要な情報を取得するため、送風部４１及び換気装置３０を駆動させる。制御装置６０は、このような送風部４１及び換気装置３０の駆動（以下では「初期設定運転」と称する）を所定の期間（例えば、３０分〜１時間程度）行う。
【０１０９】
ステップＳ２３において、制御装置６０は、ステップＳ２２の初期設定運転が終了すると、標準モード、速乾モード及び省エネモードのうち一つのモードを選択するための判断（以下では「最適運転判断」と称する）を行う。具体的には、制御装置６０は、ステップＳ１１で入力された乾燥希望期間で洗濯物Ｗの乾燥を完了させるように、３つの運転モードから適宜な１つの運転モードを判断（選択）する。
【０１１０】
以下では、制御装置６０による最適運転判断の手法について説明する。
【０１１１】
まず、制御装置６０は、最適運転判断を行うために必要な種々の情報を抽出する。具体的には、制御装置６０は、洗濯物Ｗが干される前の物干し部屋１００の湿度及び温度の計測結果と、ステップＳ２２の初期設定運転が終了した後の物干し部屋１００の湿度及び温度の計測結果と、ステップＳ１１で入力された乾燥希望期間と、の情報を抽出する。なお、洗濯物Ｗが干される前の物干し部屋１００の湿度及び温度の計測結果としては、例えば操作装置５０の電源入力部がオンとされる所定の期間（例えば、３０分）前の計測結果が採用される。
【０１１２】
次に、制御装置６０は、前記抽出した情報（以下では「抽出情報」と称する）に基づいて、最適運転判断を行うための基礎となる情報（以下では「基礎情報」と称する）を導出する。具体的には、制御装置６０は、洗濯物Ｗが干される前の物干し部屋１００の湿度及び温度の計測結果に基づいて、現時点の季節（冬季、夏季、中間期）を導出する。なお、制御装置６０は、物干し部屋１００の湿度及び温度に基づいて現時点の季節を導出（推定）するためのデータを予め記憶している。また、制御装置６０は、洗濯物Ｗが干される前の物干し部屋１００の湿度の計測結果と、ステップＳ２２の初期設定運転が終了した後の物干し部屋１００の湿度の計測結果と、に基づいて、湿度変化の割合を示す湿度変化率を導出（算出）する。このように、基礎情報には、現時点の季節と、湿度変化率と、に関する情報が含まれる。
【０１１３】
次に、制御装置６０は、抽出情報及び基礎情報に基づいて、最適運転判断の結果として省エネモードが選択された場合に、乾燥希望期間内に洗濯物Ｗの乾燥が完了するか否かを判断する。具体的には、制御装置６０は、ステップＳ２２の初期設定運転が終了した後の物干し部屋１００の湿度の計測結果（抽出情報）及び導出した湿度変化率（基礎情報）に基づいて、現時点から省エネモードで運転を行った場合に想定される、洗濯物Ｗの乾燥が完了するまでに必要な期間を導出する。なお、この必要な期間とは、現時点からの期間に、ステップＳ２２で初期設定運転が行われた期間が加算されたものである。
【０１１４】
こうして導出された前記必要な期間が乾燥希望期間よりも短い場合には、制御装置６０は、最適運転判断の結果として、省エネモードを選択する（ステップＳ２３から移行されるステップＳ２４）。こうして、制御装置６０は、省エネモードで運転を開始する。これによれば、居住者の乾燥希望期間内に洗濯物Ｗの乾燥が完了すると共に、他のモードで運転を行う場合よりも省エネ効果を得ることができる。
【０１１５】
これに対して、導出された前記必要な期間が乾燥希望期間よりも長い場合には、制御装置６０は、抽出情報及び基礎情報に基づいて、最適運転判断の結果として標準モードが選択された場合に、乾燥希望期間内に洗濯物Ｗの乾燥が完了するか否かを判断する。具体的には、制御装置６０は、ステップＳ２２の初期設定運転が終了した後の物干し部屋１００の湿度の計測結果（抽出情報）、現時点の季節（基礎情報）及び導出した湿度変化率（基礎情報）に基づいて、現時点から標準モードで運転を行った場合に、洗濯物Ｗの乾燥までに必要な期間を導出する。なお、制御装置６０には、標準モードで運転を行った場合に、これらの基礎情報及び抽出情報に基づいて、洗濯物Ｗの乾燥までに必要な期間を導出するためのデータが予め記憶されている。なお、前記データは、過去の実験結果等に基づいて作成されている。
【０１１６】
こうして導出された前記必要な期間が乾燥希望期間よりも短い場合には、制御装置６０は、最適運転判断の結果として、標準モードを選択する（ステップＳ２３から移行されるステップＳ２５）。こうして、制御装置６０は、標準モードで運転を開始する。これによれば、居住者の乾燥希望期間内に洗濯物Ｗの乾燥が完了すると共に、速乾モードで運転を行う場合よりも省エネ効果を得ることができる。
【０１１７】
これに対して、算出された前記必要な期間が、乾燥希望期間よりも長い場合には、制御装置６０は、最適運転判断の結果として、速乾モードを選択する（ステップＳ２３から移行されるステップＳ２６）。こうして、制御装置６０は、速乾モードで運転を開始する。これによれば、居住者の乾燥希望期間内に洗濯物Ｗの乾燥が完了する（又は、完了しなくとも、他のモードで運転を行う場合よりも早く完了する）ことができる。
【０１１８】
なお、最適運転判断で選択された運転モードで運転が開始された後（ステップＳ２４、ステップＳ２５、ステップＳ２６）、制御装置６０は、ステップＳ１８の処理を行う。すなわち、制御装置６０は、運転終了条件が満たされたか否かを判断する。なお、制御装置６０は、運転終了条件が満たされたと判断するまで、ステップＳ１８の処理を繰り返す（ステップＳ１８で「ＮＯ」）。
【０１１９】
ステップＳ１８において、制御装置６０は、運転終了条件が満たされたと判断すると（ステップＳ１８で「ＹＥＳ」）、物干しシステム１を待機状態とし、洗濯物Ｗを乾燥させる場合の制御を終了する。
【０１２０】
以上のように、本発明の一実施形態（第二実施形態）に係る物干しシステム１においては、
洗濯物を干す物干し竿１２０（物干し部）を有する物干し部屋１００と、
前記物干し部屋１００内の温度を計測する温度計測部４５と、
前記物干し部屋１００内の湿度を計測する湿度計測部４４と、
前記洗濯物Ｗを乾燥させるための標準モード、省エネモード及び速乾モード（複数の異なるモード）で駆動可能な駆動部（換気装置３０及びエアコン４０）と、
前記洗濯物Ｗの目標となる乾燥態様（例えば、８時間乾燥）に基づいて前記駆動部を駆動させる制御装置６０（制御部）と、
を具備し、
前記制御装置６０（制御部）は、
前記温度計測部４５の計測結果及び前記湿度計測部４４の計測結果の少なくとも一方に基づいて、前記複数の異なるモードのうち一つのモードを選択し、選択したモードで前記駆動部を駆動させるものである。
【０１２１】
また、前記駆動部は、
前記物干し竿１２０（物干し部）に送風する送風部４１と、
前記物干し部屋１００内の空気を外部へ排出する換気装置３０（換気部）と、
を含み、
前記制御装置６０（制御部）は、
所定の期間だけ前記換気装置３０（換気部）及び前記送風部４１を駆動し、
前記所定の期間前後の前記湿度計測部４４の計測結果に基づいて、前記物干し部屋１００の湿度変化率を算出し、
前記算出した湿度変化率に基づいて、前記一つのモードの選択を行うものである。
【０１２２】
このような構成により、洗濯物Ｗの乾燥を適宜行うことができる。
すなわち、物干し部屋１００の湿度変化率に基づいてモードの選択を行うため、現在の物干し部屋１００内の環境（洗濯物Ｗを乾燥させるための環境）に沿ったモードを選択でき、８時間以内に洗濯物Ｗの乾燥を完了させ易くすることができる。
【符号の説明】
【０１２３】
１      物干しシステム
３０    換気装置
４０    エアコン
４４    湿度計測部
４５    温度計測部
６０    制御装置
１００  物干し部屋
１２０  物干し竿
【図１】
2017108976.tif 000003
【図２】
2017108976.tif 000004
【図３】
2017108976.tif 000005
【図４】
2017108976.tif 000006
【図５】
2017108976.tif 000007
【図６】
2017108976.tif 000008